(57)【要約】【課題】本考案は、フットカバーとパンティストッキングを一体化することによって、着用時の蒸れと破れを低減することができるフットカバー一体型パンティストッキングを提供することを目的とする。【解決手段】フットカバー一体型パンティストッキング１は、パンティストッキング部１０と、着用時に着用者の足の爪先、踵および足裏を被覆し、且つ甲および足首を露出する形状を有するフットカバー部２０と、を備え、フットカバー部２０は吸湿性および耐磨耗性を有する素材で形成され、パンティストッキング部１０と一体形成されていることを特徴とする。【選択図】図１
0003216612.tif 000002
【実用新案登録請求の範囲】
【請求項１】
パンティストッキング部と、
着用時に着用者の足の爪先、踵および足裏を被覆し、且つ甲および足首を露出する形状を有するフットカバー部と、を備え、
前記フットカバー部は、吸湿性および耐磨耗性を有する素材で形成され、前記パンティストッキング部と一体形成されていること
を特徴とするフットカバー一体型パンティストッキング。
【請求項２】
前記フットカバー部は、縫合により前記パンティストッキング部と一体形成されていること
を特徴とする請求項１に記載のフットカバー一体型パンティストッキング。
【請求項３】
前記フットカバー部は、該フットカバー部の一部が前記パンティストッキング部と縫合されていることにより、前記パンティストッキング部と一体形成されていること
を特徴とする請求項２記載のフットカバー一体型パンティストッキング。
【考案の詳細な説明】
【技術分野】
【０００１】
本考案は、フットカバーとパンティストッキングとを組み合わせた、蒸れと破れとを防止するフットカバー一体型パンティストッキングに関する。
【背景技術】
【０００２】
従来から、パンティストッキングに関しては、着用時において蒸れが発生するという問題点がある。このようなパンティストッキング装着時の蒸れ感を解消するため、例えばヒップ部（パンティ部）の編み目を粗くしたパンティストッキングが提案されている。
【先行技術文献】
【特許文献】
【０００３】
【特許文献１】特開２０１３−５３３７９号公報
【考案の概要】
【考案が解決しようとする課題】
【０００４】
しかしながら、従来のパンティストッキングは、着用時においてパンティ部の蒸れの解消を図ることは可能であるものの、パンティストッキングと靴とに覆われている着用者の足の蒸れの解消を図ることはできない。さらに、従来のパンティストッキングは、靴との摩擦によって足部、特に爪先や踵部分に破れが生じやすいという問題もある。
【課題を解決するための手段】
【０００５】
上記課題を解決するために、本考案の一態様によるフットカバー一体型パンティストッキングは、パンティストッキング部と、着用時に着用者の足の爪先、踵および足裏を被覆し、且つ甲および足首を露出する形状を有するフットカバー部と、を備え、前記フットカバー部は吸湿性および耐磨耗性を有する素材で形成され、前記パンティストッキング部と一体形成されていることを特徴とする。
【考案の効果】
【０００６】
本考案の目的は、フットカバーとパンティストッキングを一体化することによって、着用時の蒸れと破れとを低減することができるフットカバー一体型パンティストッキングを提供することにある。
【図面の簡単な説明】
【０００７】
【図１】（ａ）は、本考案のフットカバー一体型パンティストッキングの正面視による概要図であり、（ｂ）は、本考案のフットカバー一体型パンティストッキングの背面視による概要図である。
【図２】本考案のフットカバー一体型パンティストッキングの着用状態を側面視で示す模式図である。
【図３】本考案のフットカバー一体型パンティストッキングの着用状態を背面視で示す模式図である。
【考案を実施するための形態】
【０００８】
以下、図１から図３を用いて、本考案の実施の形態（実施形態）について詳細に説明する。なお、本考案は、以下の実施の形態に限定されるものではなく、その要旨の範囲内で種々変形して実施することができる。すなわち、実施の形態の例に記載されている構成部品の寸法、材質、形状、その相対的配置等は特に記載がない限り、本考案の範囲を限定する趣旨ではなく、単なる説明例に過ぎない。また、使用する図面は、本実施の形態を説明するための一例であり、実際の大きさを表すものではない。各図面が示す部材の大きさや位置関係等は、説明を明確にするため誇張していることがある。なお、以下に説明する各図において、同一の構成を有する部分には同一の符号を付し、その繰り返しの説明は省略する。
【０００９】
まず、本考案の構成について、図１を参照しながら説明する。図１（ａ）、図１（ｂ）に示すように、本考案によるフットカバー一体型パンティストッキング１は、パンティストッキング部１０と、着用時に着用者の足の爪先、踵および足裏を被覆し、且つ甲および足首を露出する形状を有するフットカバー部２０とを備えている。
【００１０】
パンティストッキング部１０は、全体が一体的に編成されるパンティストッキングであって、大略的には、上部のパンティ部１１およびパンティ部１１の下方に連続形成されたレッグ部１２によって構成されている。なお、このパンティストッキング部１０においては、パンティ部１１は立体的に編まれ、レッグ部１２は平面的に編まれている。このパンティストッキング部１０は、左右一対の筒状編成体であって、公知の丸編み機等の編み機を用いて編成される。
【００１１】
パンティストッキング部１０は、伸縮性に富んだポリウレタンやナイロン等の化学繊維で編成されている。このため、パンティストッキング部１０は伸縮性を有し、着用者のヒップ、膝、ふくらはぎ等の曲線部や凹凸部にフィットするようになっている。
【００１２】
また、図１から図３に示すように、フットカバー部２０は、爪先を収容（被覆）する爪先部２１、踵を収容する踵部２２、及び爪先部２１と踵部２２を連結するようにして着用者の足裏を覆う足裏部２３とを有している。フットカバー部２０は、着用者の足に沿うように、例えば爪先部２１および踵部２２が立体的に編成されている。また、図２および図３に示すように、フットカバー部２０は、着用者の甲および足首を露出する形状を有している。このため、フットカバー部２０は、フットカバー一体型パンティストッキング１の着用者が、甲部分が広く開いた靴（パンプス等）を着用した際にも露出しづらく、まるで素足でパンプスを履いているかのように視認させることができる。
【００１３】
フットカバー部２０には、例えば綿等の吸湿性を有する素材を用いる。これにより、本実施形態によるフットカバー一体型パンティストッキング１の着用時において、フットカバー部２０が汗を吸収し、着用者の足の蒸れを低減することができる。また、フットカバー部２０は、パンティストッキング部１０よりも厚みを有する生地が用いられており、耐磨耗性を有している。このため、フットカバー一体型パンティストッキング１は、着用時の破れを低減することができる。また、フットカバー部２０は、吸湿性を有する素材と耐磨耗性を有する素材とを合成した繊維によって形成されていてもよい。
【００１４】
また、本実施形態によるフットカバー一体型パンティストッキング１において、フットカバー部２０は、縫合によりパンティストッキング部１０と一体形成されている。具体的には、フットカバー部２０におけるレッグ部１２側の端部、すなわち上側端部の周縁である周縁部１２０の全周が、パンティストッキング部１０のレッグ部１２の足側の端部と縫合されている。これにより、フットカバー部２０は、レッグ部１２の足側の端部に連続するように一体的に編成されている。したがって、フットカバー一体型パンティストッキング１は、着用者の下半身全面を被覆可能な構成になっている。このため、フットカバー一体型パンティストッキング１を着用すれば、従来のように、足部分の蒸れや摩擦によるパンティストッキングの足部分の破れを防止するために、パンティストッキングに重ねてフットカバーを履くといった手間を省くことができる。さらに、フットカバー一体型パンティストッキング１においては、フットカバー部２０がパンティストッキング部１０と縫合されているため、フットカバーを重ね履きする場合のように歩行時に脱げるおそれがない。したがって、フットカバー一体型パンティストッキング１の着用者は、快適な装着感を得ることができる。
【００１５】
以上説明したように、本実施形態によるフットカバー一体型パンティストッキング１は、パンティストッキング部１０と、着用時に着用者の足の爪先、踵および足裏を被覆し、且つ甲および足首を露出する形状を有するフットカバー部２０とを備えている。これにより、フットカバー一体型パンティストッキング１は、着用時の蒸れと破れとを低減することができる。
【００１６】
（変形例）
上記実施形態において、フットカバー部２０は、周縁部１２０の全周においてパンティストッキング部１０と縫合されているとしたが、本考案はこれに限られない。フットカバー部２０は、フットカバー部２０の一部がパンティストッキング部１０と縫合されていることにより、パンティストッキング部１０と一体形成されていてもよい。具体的には、フットカバー部２０は、周縁部１２０のうち長手方向における前後一か所ずつにおいて、パンティストッキング部１０のレッグ部１２の足側端部と縫合されていてもよい。例えば、フットカバー部２０は、周縁部１２０のうち爪先部２１の近傍および踵部２２の近傍においてレッグ部１２の足側の端部と縫合されていてもよい。この場合、フットカバー部２０の周縁部１２０におけるレッグ部１２と縫合されていない部分と、レッグ部１２の足側の端部との間には間隙が生じる。これにより、フットカバー一体型パンティストッキング１は、通気性が向上し、着用時の蒸れをより低減させることができる。また、フットカバー一体型パンティストッキング１において、フットカバー部２０とレッグ部１２との間に間隙が生じて通気性が向上することにより、例えば洗濯時においてフットカバー部２０を乾き易くすることができる。
【００１７】
上記実施形態において、パンティストッキング部１０とフットカバー部２０とは縫合によって一体形成されているとしたが、本考案は、これに限られない。例えば、フットカバー一体型パンティストッキング１は、パンティストッキング部１０のレッグ部１２の端部とフットカバー部２０の周縁部１２０とが、接着剤等によって接着されていてもよい。また、レッグ部１２の端部とフットカバー部２０の端部とは、加圧によって接合（圧着）されていてもよい。
【符号の説明】
【００１８】
１  フットカバー一体型パンティストッキング１
１０  パンティストッキング部
１１  パンティ部
１２  レッグ部
２０  フットカバー部
２１  爪先部
２２  踵部
２３  足裏部
１２０  周縁部
【図１】
0003216612.tif 000003
【図２】
0003216612.tif 000004
【図３】
0003216612.tif 000005